(57)【特許請求の範囲】
【請求項１】
ベルトを挟んで互いに嵌合させるようにして該ベルトに取り付けられる一対の係止部材からなり、該係止部材の少なくとも片方は、携帯品と一体化され、或いは、携帯品が取り付け可能となっており、
前記一方の係止部材の前記他方の係止部材と対向する面には、互いに対向する一対の係合用突出部が前記他方の係止部材に向けて突出するように形成され、
前記他方の係止部材には、前記係合用突出部が嵌通される一対の係止用孔が形成され、
前記一対の係合用突出部は、板状に形成され、その突出方向が、互いに向き合う方向に傾斜しており、該一対の係合突出部の先端部分には、その互いに対向する面側に、前記係止用孔の縁部に係合される爪部が形成され、
前記一対の係止部材は、前記一方の係止部材の前記係合用突出部間に前記ベルトを介在させるとともに、前記係合用突出部を前記係止用孔に挿入させ、前記爪部を前記係止用孔の縁部に係合させて、前記ベルトを挟持するようにして前記ベルトに係止されるベルト用の携帯品装着装置。
【請求項２】
前記一方の係止部材は、略板状であって、その両端が前記他方の係止部材側に折り曲げられた形状に形成され、該折り曲げられた形状の部分が前記係合用突出部となっており、
該係合用突出部間の前記他方の係止部材に対向する面の中央部分が、前記ベルトに圧接されるベルト挟持部となっており、
該ベルト挟持部が前記他方の係止部材に対向する面の両端部より前記他方の係止部材側に突出するように、前記一方の係止部材が湾曲した形状に形成されている請求項１に記載のベルト用の携帯品装着装置。
【請求項３】
前記他方の係止部材は、前記携帯品と一体に形成され、該携帯品の左右両側面下部から突出する板状に形成された一対のフランジ部に、前記係合用孔が形成されている請求項１又は２に記載のベルト用の携帯品装着装置。
【発明の詳細な説明】
【技術分野】
【０００１】
本発明は、携帯品をベルトに装着するためのベルト用の携帯品装着装置に関する。
【背景技術】
【０００２】
従来、例えば、救命胴衣灯等の携帯品を救命胴衣に取り付けられたベルトに装着する際には、図５〜図７に示すような携帯品装着装置が使用されている。
【０００３】
この携帯品装着装置３１は、両端が折り曲げられた板状の係止部材３２を有し、この係止部材３２と、救命胴衣灯３３の底面によって、ベルト３４を挟持するようにして、救命胴衣灯３３をベルト３４に取り付けるようになっている。
【０００４】
また、この係止部材３２と救命胴衣灯３３は、係止部材３２の両端の互いに対向するように折り曲げられた部分である一対の係合用突出部３５，３５間にベルトを介在させるとともに、この係合用突出部３５，３５を、救命胴衣灯３３に設けられた係合用孔３６，３６に嵌通し、係合用突出部３５，３５の先端に形成された爪部３７，３７を係合用孔３６，３６周縁に係止するようにして、ベルト３４を挟持するとともに互いに係合されるようになっている。
【０００５】
また、この係合用孔３６，３６は、救命胴衣灯３３の左右両側面の下部に突出するように一体に形成されたフランジ部３８，３８に形成されている。
【発明の開示】
【発明が解決しようとする課題】
【０００６】
しかし、このような従来の携帯品装着装置は、係合用突出部の先端に設けられた爪部が、係合用突出部の互いに対向する面とは反対側面に設けられており、フランジ部の爪部が係合される部分の強度が弱く、フランジ部が破損して、携帯品装着装置がベルトから外れてしまうという問題があった。また、ベルトの厚みや、外力の掛かり具合によっては、フランジ部が破損しなくとも、携帯品装着装置がベルトから外れてしまうという問題があった。
【０００７】
そこで、本発明はこのような従来の問題に鑑み、装置自体が破損し難く、また、ベルトから外れ難い構造のベルト用の携帯品装着装置の提供を目的としてなされたものである。
【課題を解決するための手段】
【０００８】
上述の如き従来の問題を解決し、所期の目的を達成するための請求項１に記載の発明の特徴は、ベルトを挟んで互いに嵌合させるようにして該ベルトに取り付けられる一対の係止部材からなり、該係止部材の少なくとも片方は、携帯品と一体化され、或いは、携帯品が取り付け可能となっており、前記一方の係止部材の前記他方の係止部材と対向する面には、互いに対向する一対の係合用突出部が前記他方の係止部材に向けて突出するように形成され、前記他方の係止部材には、前記係合用突出部が嵌通される一対の係止用孔が形成され、前記一対の係合用突出部は、板状に形成され、その突出方向が、互いに向き合う方向に傾斜しており、該一対の係合突出部の先端部分には、その互いに対向する面側に、前記係止用孔の縁部に係合される爪部が形成され、前記一対の係止部材は、前記一方の係止部材の前記係合用突出部間に前記ベルトを介在させるとともに、前記係合用突出部を前記係止用孔に挿入させ、前記爪部を前記係止用孔の縁部に係合させて、前記ベルトを挟持するようにして前記ベルトに係止されることにある。
【０００９】
請求項２に記載の発明の特徴は、請求項１に記載の構成に加え、前記一方の係止部材は、略板状であって、その両端が前記他方の係止部材側に折り曲げられた形状に形成され、該折り曲げられた形状の部分が前記係合用突出部となっており、該係合用突出部間の前記他方の係止部材に対向する面の中央部分が、前記ベルトに圧接されるベルト挟持部となっており、該ベルト挟持部が前記他方の係止部材に対向する面の両端部より前記他方の係止部材側に突出するように、前記一方の係止部材が湾曲した形状に形成されていることにある。
【００１０】
請求項３に記載の発明の特徴は、請求項１又は２の構成に加え、前記他方の係止部材は、前記携帯品と一体に形成され、該携帯品の左右両側面下部から突出する板状に形成された一対のフランジ部に、前記係合用孔が形成されていることにある。
【発明の効果】
【００１１】
本発明に係るベルト用の携帯品装着装置は、ベルトを挟んで互いに嵌合させるようにしてベルトに取り付けられる一対の係止部材からなり、係止部材の少なくとも片方は、携帯品と一体化され、或いは、携帯品が取り付け可能となっており、一方の係止部材の他方の係止部材と対向する面には、互いに対向する一対の係合用突出部が他方の係止部材に向けて突出するように形成され、他方の係止部材には、係合用突出部が嵌通される一対の係止用孔が形成され、一対の係合用突出部の先端部分には、その互いに対向する面側に、係止用孔の縁部に係合される爪部が形成され、一対の係止部材は、一方の係止部材の係合用突出部間にベルトを介在させるとともに、係合用突出部を係止用孔に挿入させ、爪部を係止用孔の縁部に係合させて、ベルトを挟持するようにしてベルトに係止されることにより、爪部が係合される部分が、強度の高い部分となり、装置自体の破損確率が低減する。また、一方の係止部材を他方の係止部材から引き剥がす方向に外力が加わった際に、係合用突出部は、互い対向する面側に傾く方向に力を受けるとともに、爪部からは逆方向に力が加わるので、互いに力が相殺し合い、爪部の係合が外れ難くなっている。
【００１２】
また、互いに対向する一対の係合用突出部は、板状に形成され、その突出方向が、互いに向き合う方向に傾斜していることにより、更に、爪部の係合が外れ難くなる。
【００１３】
また、一方の係止部材は、略板状であって、その両端が他方の係止部材側に折り曲げられた形状に形成され、折り曲げられた形状の部分が係合用突出部となっており、係合用突出部間の他方の係止部材に対向する面の中央部分が、ベルトに圧接されるベルト挟持部となっており、ベルト挟持部が他方の係止部材に対向する面の両端部より他方の係止部材側に突出するように、一方の係止部材が湾曲した形状に形成されていることにより、係合用突出部がより互いに対向する面側に傾き易くなっており、係止部材が外れ難くなっている。
【００１４】
また、他方の係止部材は、携帯品と一体に形成され、携帯品の左右両側面下部から突出する板状に形成された一対のフランジ部に、係合用孔が形成されていることにより、携帯品をベルトに容易に取り付けられる。
【発明を実施するための最良の形態】
【００１５】
次に本発明におけるベルト用の携帯品装着装置の実施の形態を図面に示した実施例に基づいて説明する。図１は、ベルト用の携帯品装着装置の一例を示している。この携帯品装着装置１は、ベルト２を挟んで互いに嵌合させるようにして、ベルト２に取り付けられる一対の係止部材３ａ，３ｂから構成されている。また、片方の係止部材３は、携帯品である救命胴衣灯Ａと一体に形成されている。この係止部材３ａ，３ｂは、その互いに対向する面４ａ，４ｂによってベルトを挟むようになっている。
【００１６】
この一対の係止部材３ａ，３ｂの一方の係止部材３ａの他方の係止部材３ｂと対向する面４ａには、図３に示すように、互いに対向する一対の係合用突出部５，５が、他方の係止部材３ｂに向けて突出するように形成されている。そして、この係合用突出部５，５間にベルト２が挿入されるようになっている。また、この係合用突出部５，５の先端には、爪部７，７が形成されている。そして、この係合用突出部５，５が、他方の係止部材３ｂに形成された係止用孔６，６に嵌通され、爪部７，７がその係止用孔６，６の縁部に係止されて、一方の係止部材３ａと他方の係止部材３ｂとが係合されるようになっている。
【００１７】
この一方の係止部材３ａは、略板状であって、両端が、他方の係止部材３ｂ側に折り曲げられた形状に形成されている。そして、この折り曲げられた部分が係合用突出部５，５となっている。また、この係合用突出部５，５間の他方の係止部材３ｂに対向する面４ａには、ベルト２に圧接されるベルト挟持部１１が備えられている。
【００１８】
このベルト挟持部１１は、係止部材３ａの中央部に平面状に形成されており、係止部材３ａの両端側より係止部材３ｂ側に突出するように形成されている。即ち、係止部材３ａは、中央のベルト挟持部１１が両端部より係止部材３ｂ側に突出するように湾曲させて形成されている。
【００１９】
係合用突出部５，５は、ベルト２の長さ方向に長い板状に形成され、他方の係止部材３ｂに向かって、係止部材３ａの係止部材３ｂと対向する面４ａから突出するように形成されている。また、この係合用突出部５，５は、互いに対向する面側に、その突出方向先端側を傾けた形状に形成されている。
【００２０】
そして、この係合用突出部５，５の先端部分の互いに対向する面側に、爪部７，７が形成されている。この爪部７，７は、係合用突出部５，５の互いに対向する面側から、他方側の係合用突出部５に向けて突出するように形成されている。
【００２１】
また、この爪部７，７は、係合用突出部５，５の先端部分に一体に突設された断面が略四角形状の突条からなっている。この突条は、係合用突出部５，５の突出方向と略垂直な向きに形成され、この突条の下側面が係合用孔の開口縁部に圧接されて、爪部７，７が他方の係止部材３ｂに係合されるようになっている。
【００２２】
この他方の係止部材３ｂは、救命胴衣灯Ａと一体に形成されている。この救命胴衣灯Ａは、底面が略平板状に形成されており、この底面がベルト２に圧接されるベルト挟持部となっている。また、救命胴衣灯Ａの左右両側面下部には、一対の略板状のフランジ部１２，１２が突出するように、救命胴衣灯Ａと一体に形成されており、このフランジ部１２，１２に、係止用孔６，６が形成されている。
【００２３】
このフランジ部１２，１２は、ベルト２の長さ方向に長く形成され、その長さ方向に沿って、係止用孔６，６が形成されている。この係止用孔６，６は、その幅方向が特に、係合用突出部５，５の先端が通る最小限の大きさに形成されている。そして、このフランジ部１２，１２の底面と、救命胴衣灯Ａの底面が、対向する面４ｂを構成するようになっている。
【００２４】
尚、本実施例では、他方の係止部材３ｂが、携帯品である救命胴衣灯Ａと一体に形成されているが、携帯品と一体でなくともよい。即ち、係止部材３ａ，３ｂは、どちらか一方に携帯品が保持されるものであればよい。
【図面の簡単な説明】
【００２５】
【図１】本発明に係るベルト用の携帯品装着装置の一例を示す正面図である。
【図２】同上の平面図である。
【図３】同上の係止部材を示す正面図である
【図４】同上の平面図である。
【図５】従来のベルト用の携帯品装着装置の一例を示す正面図である。
【図６】同上の平面図である。
【図７】同上の係止部材を示す正面図である。
【符号の説明】
【００２６】
Ａ 救命胴衣灯
１ 携帯品装着装置
２ ベルト
３ａ 係止部材
３ｂ 係止部材
４ａ 面
４ｂ 面
５ 係合用突出部
６ 係止用孔
７ 爪部
１１ ベルト挟持部
１２ フランジ部
３１ 携帯品装着装置
３２ 係止部材
３３ 救命胴衣灯
３４ ベルト
３５ 係合用突出部
３６ 係合用孔
３７ 爪部
３８ フランジ部
【図１】
0004997643.tif 000002
【図２】
0004997643.tif 000003
【図３】
0004997643.tif 000004
【図４】
0004997643.tif 000005
【図５】
0004997643.tif 000006
【図６】
0004997643.tif 000007
【図７】
0004997643.tif 000008